(57)【要約】【課題】作業者が高所において作業を確実に安全な状態で行ないうる墜落防止装置を提供する。【解決手段】作業者を保持する墜落防止装置１０は、墜落防止装置を所定の位置に連結する吊り下げロープ２３と、作業者を保持する保持ロープ２７とを含む。墜落防止装置１０の円周上の一端には、吊り下げ用貫通孔２１が設けられ、本体部２０と吊り下げロープ２３とを、吊り下げ用貫通孔２１を介してシャックル２２で接続する。シャックル２２はＵ字状部材を含み、Ｕ字状部材の対向する両端部は板状であり、板の中央部には、両端部間を接続するためのシャックルピンが貫通可能な貫通孔が設けられ、シャックルはシャックルピンと、シャックルピンに係合可能なナット部材とを含み、ナット部材がシャックルピンに係合したときシャックルピンとナット部材との係合が緩まないようにするためのシャックルピン回り止め手段を含む。【選択図】図２
2010154885.tif 000002
【特許請求の範囲】
【請求項１】
作業者を保持する墜落防止装置であって、
前記墜落防止装置の本体を所定の位置に固定する吊り下げ手段と、
前記本体に対して伸縮自在に設けられ作業者を保持する保持ロープと、
前記本体と前記吊り下げ手段とを接続するシャックルとを含み、
前記本体の上端には吊り下げ用貫通孔が設けられ、
前記吊り下げ用貫通孔を介して前記本体と前記吊り下げ手段とが接続され、
前記シャックルのＵ字状部材の端部は板状であり、前記板の中央部には、前記両端部間を接続するためのシャックルピンが貫通可能な貫通孔が設けられ、
前記シャックルピンは頭部と軸部とを含み、前記軸部にはネジ部が設けられ、
前記シャックルは前記ネジ部に係合するナット部材を含み、
前記シャックルは、前記ナット部材が前記ネジ部に係合したとき前記シャックルピンとネジ部との係合が緩まないようにするためのシャックルピン回り止め手段を含む、墜落防止装置。
【請求項２】
前記シャックルは沈シャックルである、請求項１に記載の墜落防止装置。
【請求項３】
前記ナット部材は前記Ｕ字状部材の端部に設けられ、前記貫通孔に形成されたネジ溝であり、
前記ネジ部は前記ネジ溝に係合し、
前記回り止め手段は、前記ネジ溝に係合した前記ネジ部が回転しないように固定する固定手段を含む、請求項１または２に記載の墜落防止装置。
【請求項４】
前記固定手段は止めネジまたはピンである、請求項３に記載の墜落防止装置。
【請求項５】
前記固定手段は、前記ネジ部に係合する止め輪である、請求項３に記載の墜落防止装置。
【請求項６】
前記吊り下げ用貫通孔の径は、前記Ｕ字状部材の両端部の板が挿通できない寸法である、請求項１〜５のいずれかに記載の墜落防止装置。
【発明の詳細な説明】
【技術分野】
【０００１】
この発明は高所作業において、作業者が墜落するのを防止する墜落防止装置に関し、特に、作業者を確実に安全に保持できる墜落防止装置に関する。
【背景技術】
【０００２】
従来の、高所作業における作業者の墜落防止装置が、たとえば、特開平１１−１６４８９８号公報（特許文献１）に開示されている。特許文献１によれば、墜落防止装置は、所定の箇所に固定されるロープを巻き取り可能な巻き取りリールを有する本体部と、本体部の上端部に設けられ、所定の固定部に固定される吊り下げロープとを含む。リールから取出されたロープのリールとは反対側の端部は、本体部の下端部に設けられた開口から外部に延び、その先端部には連結金具が設けられ、連結金具が作業者の有する安全ベルト等に連結される。
【特許文献１】特開平１１−１６４８９８号公報（要約）
【発明の開示】
【発明が解決しようとする課題】
【０００３】
従来の墜落防止装置は上記のように構成されていた。従来の墜落防止装置の本体部の上端部における本体部と吊り下げロープとの連結構造を図６に示す。ここでは、吊り下げロープ３０と本体部２０との接続部のみを示す。
【０００４】
図６を参照して、墜落防止装置１０の本体部２０と吊り下げロープ３０とはカラビナ５０を用いて行なわれている。図６（Ａ）および（Ｂ）はカラビナ５０を用いて本体部２０と吊り下げロープ３０とを接続する手順を示す図である。図６（Ａ）、（Ｂ）を参照して、カラビナ５０は相互に対面する連結端部５１ａ，５１ｂを有し、通常は図６（Ｂ）に示すようにこの連結端部５１ａ，５１ｂは内部にネジ機構を有するカバー５３で覆われている。まず、このカバー５３を図６（Ａ）に示すように下方向にずらして、ヒンジ５４を中心として連結部５２を図中矢印で示すように回転させ、空間連結端部５１ａ下端部とヒンジ５４との間に空間を形成し、この空間を用いて本体部２０と吊り下げロープ３０とを接続する。
【０００５】
通常は図６（Ｂ）に示す状態で本体部２０と吊り下げロープ３０とが接続されるが、使用中に振動等によりカバー５３が回転されてずれるという問題があった。また、連結部５２がヒンジ５４を中心として回転し、連結端部５１ａ，５１ｂ間が開くという問題があった。また、取付け作業中に、カラビナ５０が図６（Ｃ）に示す状態で本体部２０と吊り下げロープ３０とを接続することが生じえた。カラビナ５０は図６（Ｃ）に示すような状態で対向する２辺が引っ張られると、２辺に荷重がかかり、この荷重が大きすぎると、荷重に耐え切れなくなって破壊する恐れがあり、重大事故に繋がるという問題生じえた。
【０００６】
この発明は上記のような問題に鑑みてなされたもので、作業者が高所において作業を確実に安全な状態で行ないうる墜落防止装置を提供することを目的とする。
【課題を解決するための手段】
【０００７】
この発明に係る作業者を保持する墜落防止装置は、墜落防止装置の本体を所定の位置に固定する吊り下げ手段と、本体に対して伸縮自在に設けられ作業者を保持する保持ロープと、本体と吊り下げ手段とを接続するシャックルとを含む。本体の上端には吊り下げ用貫通孔が設けられ、吊り下げ用貫通孔を介して本体と吊り下げ手段とが接続され、シャックルのＵ字状部材の端部は板状であり、板の中央部には、両端部間を接続するためのシャックルピンが貫通可能な貫通孔が設けられ、シャックルピンは頭部と軸部材とを含む。シャックルピンは頭部と軸部とを含み、軸部にはネジ部が設けられ、シャックルはネジ部に係合するナット部を含み、シャックルは、ナット部材がネジ部に係合したときシャックルピンとネジ部との係合が緩まないようにするためのシャックルピン回り止め手段を含む。
【０００８】
好ましくは、シャックルは沈シャックルである。
【０００９】
さらに好ましくは、ナット部材はＵ字状部材の端部に設けられ、貫通孔に形成されたネジ溝であり、ネジ部はネジ溝に係合し、回り止め手段は、ネジ溝に係合したネジ部が回転しないように固定する固定手段を含む。
【００１０】
固定手段は、止めネジであってもよいし、ピンであってもよいし、ネジ部に係合する止め輪であってもよい。
【００１１】
吊り下げ用貫通孔の径は、Ｕ字状部材の両端部の板が挿通できない寸法であるのが好ましい。
【発明の効果】
【００１２】
墜落防止装置の本体と吊り下げ手段とはシャックルで接続されるため、従来のカラビナの場合に生じた事態は生じない。また、シャックルのＵ字状部材の対向する両端部はシャックルピンで接続され、シャックルピンの軸部にはネジ部が設けられ、シャックルはネジ部に係合するナット部を含み、シャックルは、ナット部材がネジ部に係合したときシャックルピンが回転して緩まないようにするためのシャックルピン回り止め手段を含む。したがって、ナット部材が緩んでネジ部と離れるという事態は生じない。
【００１３】
その結果、作業者が高所において作業を確実に安全な状態で行ないうる墜落防止装置を提供できる。
【発明を実施するための最良の形態】
【００１４】
以下、この発明の実施の形態を、図面を参照して説明する。図１はこの発明の一実施の形態に係る墜落防止装置１０の使用方法を説明するための図であり、図２は墜落防止装置１０の要部を示す図である。図２（Ａ）は側面図であり、図２（Ｂ）は、図２（Ａ）において、ＩＩＢ-ＩＩＢで示す部分の矢視図である。
【００１５】
図１を参照して、作業者が高所で作業するときは、墜落防止装置１０を用いて行なう。墜落防止装置１０は、作業者の有する安全帯２９の一部に安全フック２８を介して接続される巻取りランヤード（以下、「保持ロープ」という）２７と、保持ロープ２７を巻き取り可能な巻き取りリールを有する円板状のリトラクタ式墜落阻止器具（以下、「本体部」という）２０と、本体部２０の上端部に設けられ、所定の固定部に固定される吊り下げ手段として作動する吊り下げロープ２３とを含む。保持ロープ２７は図示のないぜんまいばねを用いて、本体部２０の内部へ引き込まれるように付勢されている。また、保持ロープ２７は急に降下方向へ引っ張られて繰り出されると、内部に設けられたロック機構が作動し、作業者の墜落を防止する。なお、吊り下げ手段としては、ロープ以外のベルト等の任意のものを使用できる。
【００１６】
図２（Ａ）および（Ｂ）を参照して、墜落防止装置１０は、上記したように、保持ロープ２７を巻き取り可能な巻き取りリールを有する本体部２０と、本体部２０の上端部に設けられ、所定の固定部に固定される吊り下げロープ２３と、本体部２０と吊り下げロープ２３とを接続するシャックル２２とを含む。
【００１７】
円板状の本体部２０の外周部の一端部には吊り下げ用貫通孔２１設けられ、吊り下げ用貫通孔２１にはシャックル２２が設けられ、シャックル２２を介して吊り下げロープ２３が接続されている。
【００１８】
吊り下げ用貫通孔２１とはほぼ１８０度離れた位置には、図示のない巻き取りリールから取出された保持ロープ２７が取出される開口（図示なし）が設けられ、開口から保持ロープ２７が外部に延びる。ロープの先端部には安全フック２８が設けられ、安全フック２８が作業者の有する安全ベルト等に連結される。
【００１９】
次に、シャックル２２と本体部２０との接続状態について説明する。図３はシャックル２２と本体部２０との接続状態を示す図である。なお、ここでは、吊り下げロープの図示を省略している。図３（Ａ）はシャックル２２と本体部２０との接続部の拡大図であり、従来の図６（Ｂ）に対応する。図３（Ｂ）は図３（Ａ）において矢印ＩＩＩＢ−ＩＩＩＢで示す部分の拡大矢視図である。図３（Ｃ）は図３（Ａ）において、ＩＩＩＣ-ＩＩＩＣで示す部分の拡大断面図である。図３（Ｄ）は図３（Ａ）に対応する図であり、墜落防止装置の本体部２０が、シャックル２２のＵ字状部材２２ｃで支持される状態を示す図である。
【００２０】
図３（Ａ）〜（Ｃ）を参照して、シャックル２２は沈シャックルである。ここで、沈シャックルとは、シャックルのＵ字状部材の両端部を接続するシャックルピンがＵ字条部材の外部に突出しない、図３（Ａ）に示すような形状のシャックルである。
【００２１】
シャックル２２はＵ字状部材２２ｃを含み、Ｕ字状部材２２ｃの対向する両端部は円板２２ａ，２２ｂである。なお、円板以外の形状であってもよい。Ｕ字条部材２２ｃの一端側の円板２２ａの中央部には開口部が円形のテーパ状であるテーパ状凹部２２ｅが設けられ、円形のテーパ状凹部ｅの中央部には貫通孔２２ｆが設けられている。Ｕ字条部材２２ｃの他端側の円板２２ｂの中央部には貫通孔２２ｇが設けられている。
【００２２】
貫通孔２２ｇにはネジ溝２２ｄが形成されている。テーパ状凹部ｅおよび、貫通孔２２ｆ，２２ｇには、両円板２２ａ，２２ｂを接続するためのシャックルピン２４が挿入される。シャックルピン２４は頭部２４ａと軸部２４ｂとを含み、軸部２４ｂの端部側にネジ山（ネジ部）が形成され、それによって軸部２４ｂの端部がネジ溝２２ｄに係合する。シャックルピン２４の頭部２４ａがテーパ状凹部ｅ内に回転可能に収容され、それによって、図３（Ａ）に示すように、シャックルピン２４の頭部２４ａが円板２２ａの外部に突出しない。なお、シャックルピン２４の頭部２４ａにはシャックルピン２４を締め付けるための凹部２４ｉが設けられている。
【００２３】
吊り下げロープ２３と本体部２０とを接続するときは、吊り下げロープ２３の端部の係合用貫通孔をシャックル２２のＵ字条部材２２ｃに通し、その後、シャックル２２のＵ字状の端部に位置する円板２２ａ，２２ｂの中心部と本体部２０の吊り下げ用貫通孔２１とを一致させた状態でシャックルピン２４を円板２２ａ側から通し、軸部２４ｂをネジ溝２２ｄに係合させる。なお、このネジ溝２２ｄがナット部材として機能する。
【００２４】
図３（Ｃ）に示すように、円板２２ｂには外周部から内周部に向かって貫通孔２２ｈが設けられるとともに、シャックルピン２４の軸部２４ｂの貫通孔２２ｈに対応する位置には、貫通孔２４ｃが設けられている。なお、この貫通孔２４ｃは底部のある穴であってもよい。これらの貫通孔２２ｈ、および、２４ｃにはナット部材２４の回り止め（シャックルピン回り止め手段）として、止めネジ２５が挿通されうる。貫通孔２２ｈ、２４ｃは内径部にネジ溝を有し、止めネジ２５は外周部にネジ山を有し、ねじ山が穴２４ｃのネジ溝に相互に係合する。なお、貫通孔２４ｃは軸部２４ｂの外周方向に複数設けられてもよい。ここで、止めネジ２５がネジ溝に係合したネジ部が回転しないように固定する固定手段として機能しているが、これ以外にピンや、それ以外の任意の方法で固定してもよい。
【００２５】
ここで、ピンで固定する場合は、テーパピン、平行ピン、ダウエルピン等の任意のピンを用いてもよいが、波型スプリングピンや溝付きスプリングピン等のスプリングピンが好ましい。
【００２６】
なお、吊り下げ用貫通孔２１の径は、Ｕ字状部材２２Ｃの両端部の円板２２ａ，２２ｂが挿通できない寸法である。このようにすることによって、図３（Ｄ）に示すような事態は生じない。
【００２７】
また、上記実施の形態においては、沈シャックル２２にネジ溝２２ｄを設けて、これをナット部材として使用する場合について説明したが、沈シャックルに限らず、円板２２ｂの外側においてシャックルピン２４の軸部２４ｂに係合する通常のナットを設け、このナットに上記と同様の貫通孔を設けてシャックルピン回り止め手段として作動させてもよい。
【００２８】
次にこの発明の他の実施の形態について説明する。図４はこの発明の他の実施の形態に係るシャックル５０を示す斜視図である。ここでは、シャックル５０をシャックルピン５４の軸端部５４ｂ側から見ている。図４を参照して、このシャックル５０においては、シャックルピン回り止め手段の固定手段として、止めネジ５１が円板５２と軸端部５４ｂとの境界部に設けられる。ここで、止めネジ５１は先の実施の形態と同様に、軸方向の円周面にねじ山を有し、円板５２と軸端部５４ｂの対応する部分にはネジ穴が設けられている。その結果、図４に示すように円板５２と軸端部５４ｂの端部内に埋め込まれる。
【００２９】
なお、止めネジやピンの取り付け位置は、シャックルピンの軸端部側に限らず、頭部側に設けてもよい。
【００３０】
次に、この発明のさらに他の実施の形態について説明する。図５はこの発明の他の実施の形態に係るシャックル６０を示す図である。図５（Ａ）はこの実施の形態におけるシャックル６０の全体構成を示す図であり、図５（Ｂ）はＣ型止め輪６７の平面図である。図５を参照して、シャックル６０はＵ字状部材６３の両端部に設けられた円板６１，６２を含み、この両端部を頭部６４ａと軸部６４ｂとを有するシャックルピン６４で接続している。
【００３１】
この実施の形態においては、円板６２の内部に設けられたネジ溝に係合したシャックルピン６４の図示のないネジ部が回転しないように固定する固定手段として、Ｃ型止め輪６７を用いている。なお、止め輪としては、Ｃ型に限らず任意の止め輪を使用できる。
【００３２】
なお、図７は図３に示したシャックルの斜視図である。図８は図７に示したシャックルの六面図である。図８（Ａ）は正面図であり、図８（Ｂ）は左側面図であり、図８（Ｃ）は右側面図であり、図８（Ｄ）は背面図であり、図８（Ｅ）は平面図であり、図８（Ｆ）は底面図である。
【００３３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３４】
この発明に係る墜落防止装置は、作業者が高所において作業を確実に安全な状態で行ないうるため、墜落防止装置として有利に使用される。
【図面の簡単な説明】
【００３５】
【図１】この発明の一実施の形態に係る、墜落防止装置の使用方法を示す図である。
【図２】墜落防止装置の要部を示す図である。
【図３】シャックルと本体部との接続状態を示す図である。
【図４】他の実施の形態に係る、シャックルピンが回転して緩まないようにするためのシャックルピン回り止め手段を示す斜視図である。
【図５】さらに他の実施の形態に係る、シャックルピンが回転しないようにするためのシャックルピン回り止め手段を示す図である。
【図６】従来の、墜落防止装置の本体部と吊り下げロープとの接続状態を示す図である。
【図７】シャックルの斜視図である。
【図８】シャックルの六面図である。
【符号の説明】
【００３６】
１０  墜落防止装置、２０  本体部、２１  貫通孔、２２  シャックル、２３  吊り下げロープ、２４  シャックルピン、２７  保持ロープ、２９  安全帯。 
【図１】
2010154885.tif 000003
【図２】
2010154885.tif 000004
【図３】
2010154885.tif 000005
【図４】
2010154885.tif 000006
【図５】
2010154885.tif 000007
【図６】
2010154885.tif 000008
【図７】
2010154885.tif 000009
【図８】
2010154885.tif 000010